【事件の表示】
　特願２００３−１３１０６６「水性ボールペン」拒絶査定不服審判事件〔平成１６年１１月２５日出願公開、特開２００４−３３０６６２〕について、次のとおり審決する。
【結　論】
　本件審判の請求は、成り立たない。
【理　由】
第１　手続の経緯
　本願は、平成１５年５月９日の出願であって、平成２１年５月１３日付けで手続補正がなされ、同年１２月８日付けで拒絶査定がなされ、これに対して、平成２２年３月４日付けで拒絶査定不服審判の請求がなされ、当審において、平成２３年２月１６日付けで拒絶の理由（以下「当審拒絶理由」という。）の通知がなされ、同年４月２０日付けで意見書の提出がなされたものである。
　
第２　本願発明
　本願の請求項１ないし４に係る発明は、平成２１年５月１３日付けの手続補正により補正された明細書及び図面の記載からみて、明細書の特許請求の範囲の請求項１ないし４にそれぞれ記載された事項によって特定されるものと認められるところ、請求項１に係る発明（以下「本願発明」という。）は、次のとおりのものである。
　
「先端部にボールを抱持したボールペンチップを備えたインキ収容管内に、直接水性インキとインキ逆流防止体とを充填してなる水性ボールペンであって、前記インキは粘度が１〜５０ｍＰａ・ｓの範囲にある非剪断減粘性水性インキであり、前記インキ逆流防止体は、基油と増粘剤とから少なくともなり、粘弾性測定におけるｔａｎδが１を越える点（ω）が２０ｒａｄ／ｓ≦ω≦４５０ｒａｄ／ｓの範囲にあることを特徴とする水性ボールペン。」
　
第３　引用刊行物及び引用発明
　当審拒絶理由に引用された、本願の出願前に頒布された刊行物である特開２００１−３５３９９３号公報には、次の事項が記載されている（下線は審決で付した。以下同じ。）。
　
１　「【０００２】
【従来の技術】
水性ボールペン
ペンを上向きまたは横向きに放置した場合には、インキが漏出してしまう。また、軽度な衝撃でもインキが飛散し、手や服を汚してしまう恐れがあるため、これを防止すべく追従体が備えられている
　
２　「【００４１】
本発明の水性ボールペンは、水性ボールペンとして一般的な構成、例えば、インキ収容管と、これに内蔵されたインキ組成物およびインキ追従体を含む構成を採用する
【００４２】
【実施例】次に、実施例、試験例により、本発明を更に詳細に説明するが、本発明はこれらに制約されるものではない。
【００４３】実施例、比較例に用いた水性ボールペン用インキを次に示すように調製した。
＜
インキ１
　
染料
ウォーターブラックＲ４５５
７．０重量％
　　　　　　　　　
（オリエント化学工業株式会社製；商品名）
　
染料
ウォーターイエロー６Ｃ
１．０重量％
　　　　　　　　　
（オリエント化学工業株式会社製；商品名）
　
液体媒体
プロピレングリコール
２０．０重量％
　
粘度調整剤
キサンタンガム　KELZAN HP
０．２重量％
　　　　　　　　　
（三晶株式会社製；商品名）
　
界面活性剤
オレイン酸カリウム
０．５重量％
　
防腐剤
ナトリウムオマジン
０．１重量％
　
防錆剤
ベンズトリアゾール
０．１重量％
　
イオン交換水
残  部
以上の配合物を撹拌後ろ過し、温度２５℃、剪断速度３８４ｓｅｃ
-1
における粘度が１０ｍＰａ・ｓｅｃの水性ボールペン用黒インキ
…（略）…
【００４６】実施例１〜１８、比較例１〜１２
表１〜４に示す組成および下記Ａ〜Ｄのいずれかの方法で、実施例１〜１８および比較例１〜１２の水性ボールペン用インキ追従体を調製した。それぞれのインキ追従体についての調製は、下記Ａ〜Ｄの調製法の中で最も適切と考えられる方法を１つ選択し、採用した（各インキ追従体の調製法は、表中に記載した）。なお、表中の追従体の配合量は重量％である。
各インキ追従体と前記のインキ１
をボール径１．０ｍｍの水性ボールペン体に充填し
【００４７】＜インキ追従体調製法＞
Ａ法：基油と増粘剤（および添加剤）を調合し、常温でミキサーにて高速で約１２０分間攪拌し、その後ロール処理を１回行い、真空脱泡し、インキ追従体を得た。
Ｂ法：基油と増粘剤（および添加剤）を調合し、１５０〜１８０℃でミキサーにて高速で約１２０分間撹拌し、室温まで冷却後、ロール処理を１回行い、インキ追従体を得た。
Ｃ法：基油と増粘剤（および添加剤）を調合し、１６０℃〜１７０℃でミキサーにて高速で約１８０分間攪拌し、室温まで冷却後、ニーダーで約６０分間混錬を行い、インキ追従体を得た。
Ｄ法：基油と増粘剤（および添加剤）を調合し、１５０〜１８０℃でミキサーにて高速で約１２０分間攪拌し、室温まで冷却後、ロール処理を３回行いインキ追従体を得た。
【００４８】
【表１】
…（略）…
【００５２】また、表の注釈は以下のとおりである。
注１：ポリブテン３０Ｎ（日本油脂株式会社製；商品名）
注２：ダイアナプロセスオイル  ＰＷ−３８０（出光興産株式会社製；商品名）
注３：ニッサンポリブテン０１５Ｎ（日本油脂株式会社製；商品名）
注４：Ｃｒｏｄａｘ  ＤＰ−３０（クローダジャパン株式会社製；商品名）
注５：ＡＥＲＯＳＩＬ−９７４Ｄ（日本アエロジル株式会社製；商品名）
注６：セプトン８００７（株式会社クラレ製；商品名）
注７：セプトン２０６３（株式会社クラレ製；商品名）
注８：タフテックＨ１１４１（旭化成工業株式会社製；商品名）
注９：ＤＹＮＡＲＯＮ４６００Ｐ（ＪＳＲ株式会社製；商品名）
注１０：ＤＹＮＡＲＯＮ６２００Ｐ（ＪＳＲ株式会社製；商品名）
注１１：アサプレンＴ−４３１（旭化成工業株式会社製；商品名）
注１２：ソルプレン−４１８（旭化成工業株式会社製；商品名）
注１３：プレンアクト  ＡＬ−Ｍ（味の素ファインテクノ株式会社製；商品名）
注１４：Ｂｅｎｔｏｎ３４（ウィルバーエリス株式会社製；商品名）
注１５：エフトップ  ＥＦ−８０１（三菱マテリアル株式会社製；商品名）
【００５３】
＜
インキ追従体の物性測定
　・
ｔａｎδ値の測定
　　　　　　　　　（レオメトリック・サイエンティフィック製）
　　測定条件（周波数依存性）
　　　　　ジオメトリー　：パラレルプレート５０ｍｍφ　動的測定
　　　　　SWEEP TYPE　　：ＦＲＥＱＵＥＮＣＹ　ＳＷＥＥＰ
　　　　　周波数範囲　　：０．０６〜６５０ｒａｄ／ｓｅｃ
　　　　　測定間隔　　　：５ｐｏｉｎｔｓ／ｄｅｃａｄｅ
　　　　　ひずみ　　　　：１００％
　　　　　
測定温度
２５℃
　　　　　雰囲気　　　　：窒素気流中
【００５４】・粘度値の測定
測定装置  ：Ｅ型回転粘度計
ＤＩＧＩＴＡＬ  ＶＩＳＣＯＭＥＴＥＲ  ＤＵＶ−Ｅ（東京計器株式会社製）
測定条件（周波数依存性）：
コーン    ：３°＊Ｒ１４
剪断時間  ：２００ｓｅｃ-1測定時間  ：６００ｓｅｃ
測定温度  ：２５℃
【００５５】＜ペン体評価＞
速書筆記追従性評価
各ペン体をＩＳＯ規格に準拠した筆記用紙に、フリーハンドで２倍速と通常速度でそれぞれ筆記し、各筆記描線を下記の基準で判定した。
○  ：スムースに安定して筆記できる。
△  ：２倍速筆記で線切れが起きる。
×  ：通常に筆記してもインキが追従せず線切れが起こる。
【００５６】落下衝撃によるインキ追従体の飛散性
各ペン体をペン先を上向きにし、１．５ｍ上空から厚さ２ｃｍの杉板上へ１回落下させ、落下後のペン体を目視で観察し、インキ追従体のインキ収容管外への飛散の度合いを下記の基準で判定した。
○  ：インキ追従体の飛散がなく、インキとインキ追従体の界面も鮮明である。
△  ：インキ追従体の飛散はみられないが、インキとインキ追従体の界面がペン体落下前と比べてやや乱れている。
×  ：明らかにインキ追従体の飛散が認められ、インキがチューブ外へ逆流している。
【００５７】インキ消費時におけるインキ追従体のチューブへの付着性
各ペン体をＩＳＯ規格に準拠した筆記用紙に、筆記試験機にて下記条件で終筆まで「らせん筆記」し、筆記後のリフィールチューブを目視で観察し、インキ追従体のチューブ内壁への付着性を下記の基準で判定した。
○  ：インキ追従体のチューブ内壁への付着性がほとんど認められない。
○’：インキ追従体のチューブ内壁への付着がわずかにみられる。
△  ：インキ追従体のチューブ内壁への付着が明らかに認められる。
×  ：インキ追従体がチューブ内壁へ全て付着してしまい、筆記途中でインキ追従体不足に陥った。
【００５８】インキ追従体の逆転
各ペン体を、温度５０℃、湿度６５％の条件でペン先（キャップ側）を上向きにして一ヶ月間放置し、取り出した後、リフィールを目視で観察し、インキ追従体がペン先側へ移動したかどうか（インキ追従体の逆転があるかどうか）を判定した。
○  ：インキ追従体の逆転が認められない。
×  ：インキ追従体の逆転が認められる。
【００５９】インキ流出安定性
各ペン体をＩＳＯ規格に準拠した筆記用紙に、筆記試験機にて下記条件で終筆まで「らせん筆記」し、１００ｍごとの筆記流量の推移と描線状態を下記の基準で評価した。
筆記条件    筆記速度：４．５ｍ／分
筆記角度：６０°
筆記荷重：１００ｇ
○  ：流量が安定しており、終筆までカスレや濃度ムラが発生しない。
○’：流量が僅かにばらついているが、終筆までカスレや濃度ムラは発生しない。
△  ：流量に多少乱れが生じ、わずかにカスレや濃度ムラがみられる。
×  ：流量に大きなバラツキがみられ、明らかなカスレや濃度ムラが認められる。
【００６０】インキ追従体の油分離及び逆流性
各ペン体を５０℃湿度６５％の条件でペン先（キャップ側）を上向きにして一ヶ月間放置し、取り出し後リフィールを目視で観察し、インキ追従体の油のインキ中への混入、及びリフィール外への油の漏れだしの有無を判定した。
○  ：油のインキ中への混入、あるいはリフィール外への漏れだしが認められない。
×  ：油のインキ中への混入、あるいはリフィール外への漏れだしが認められる。
【００６１】
【表５】
…（略）…
【００６５】上記表５〜８に示すように、本発明の水性ボールペンは、追従体として必要な全ての性能を満足できる優れたものであるといえる。」
　
３　上記１及び２から、引用例、特に実施例１及び９には、次の発明（以下「引用発明」という。）が記載されていると認められる。
　
「インキ収容管と、これに内蔵されたインキ及びインキ追従体を含む水性ボールペンであって、
　前記インキは、染料として「ウォーターブラックＲ４５５」（オリエント化学工業株式会社製；商品名）を７．０重量％、染料として「ウォーターイエロー６Ｃ」（オリエント化学工業株式会社製；商品名）を１．０重量％、液体媒体としてプロピレングリコールを２０．０重量％、粘度調整剤として「キサンタンガムKELZAN HP」（三晶株式会社製；商品名）を０．２重量％、界面活性剤としてオレイン酸カリウムを０．５重量％、防腐剤としてナトリウムオマジンを０．１重量％、防錆剤としてベンズトリアゾールを０．１重量％、残部としてイオン交換水を配合してなる、温度２５℃、剪断速度３８４ｓｅｃ-1における粘度が１０ｍＰａ・ｓｅｃの水性ボールペン用黒インキであり、
　前記インキ追従体は、当該水性ボールペンを上向きまたは横向きに放置した場合に、インキが漏出してしまったり、軽度な衝撃でもインキが飛散してしまうことを防止するためのものであって、
　基油としてポリブテン「ポリブテン３０Ｎ」（平均分子量１３５０、日本油脂株式会社製；商品名）を８８．０重量％、増粘剤として燐酸エステルカルシウム塩「Ｃｒｏｄａｘ  ＤＰ−３０」（クローダジャパン株式会社製；商品名）を１１．０重量％、増粘剤としてポリスチレン−ポリエチレン／ブチレン−ポリスチレンブロックコポリマー「セプトン８００７」（株式会社クラレ製；商品名）を１．０重量％配合してなり、温度２５℃で測定したｔａｎδ値が、対応する角周波数（ｒａｄ／ｓｅｃ）を括弧内に表示することとした場合に、１．０４（０．０６）、１．０９（０．２５）、１．１９（０．６３）、１．３８（１．０）、１．３６（４．０）、１．７４（６．３）、１．４０（１０）、１．１３（４０）、０．９４（６３）、１．０７（１００）、０．９９（４００）、１．１６（６００）、１．１５（６５０）であるインキ追従体、または、
　基油として鉱物油「ダイアナプロセスオイル  ＰＷ−３８０」（出光興産株式会社製；商品名）を９１．５重量％、増粘剤としてポリスチレン−ブタジエンゴム−ポリスチレンブロックコポリマー「アサプレンＴ−４３１」（旭化成工業株式会社製；商品名）を８．０重量％、フッ素系界面活性剤として「エフトップ  ＥＦ−８０１」（三菱マテリアル株式会社製；商品名）を０．５重量％配合してなり、温度２５℃で測定したｔａｎδ値が、対応する角周波数（ｒａｄ／ｓｅｃ）を括弧内に表示することとした場合に、０．７９（０．０６）、０．８０（０．２５）、０．８３（０．６３）、０．８４（１．０）、０．８７（４．０）、０．８９（６．３）、０．９３（１０）、０．９８（４０）、１．１５（６３）、１．３５（１００）、１．４２（４００）、１．４８（６００）、１．４９（６５０）であるインキ追従体であり、
　前記インキ追従体と前記インキを、ボール径１．０ｍｍの水性ボールペン体に充填してなる水性ボールペン。」
　
第４　対比
　本願発明と引用発明とを対比する。
１　引用発明の「水性ボールペン用黒インキ」及び「『水性ボールペンを上向きまたは横向きに放置した場合に、インキが漏出してしまったり、軽度な衝撃でもインキが飛散してしまうことを防止する』ための『インキ追従体』」は、それぞれ、本願発明の「水性インキ」及び「インキ逆流防止体」に相当する。
　
２　引用発明の水性ボールペンは、インキ収容管と、これに内蔵された「水性インキ（水性ボールペン用黒インキ）」及び「インキ逆流防止体（インキ追従体）」を含むものであって、前記「インキ逆流防止体」と前記「水性インキ」を、ボール径１．０ｍｍの水性ボールペン体に充填してなるものであるから、引用発明の「水性ボールペン」と本願発明の「先端部にボールを抱持したボールペンチップを備えたインキ収容管内に、直接水性インキとインキ逆流防止体とを充填してなる水性ボールペン」とは、「インキ収容管内に、直接水性インキとインキ逆流防止体とを充填してなる」ものである点で一致する。
　
３　引用発明の「水性インキ（水性ボールペン用黒インキ）」は、温度２５℃、剪断速度３８４ｓｅｃ-1における粘度が１０ｍＰａ・ｓｅｃのものであるから、引用発明の「水性インキ」と本願発明の「『粘度が１〜５０ｍＰａ・ｓの範囲にある非剪断減粘性水性インキ』である『水性インキ』」とは、「粘度が１〜５０ｍＰａ・ｓの範囲にある水性インキ」である点で一致する。
　
４　引用発明の「インキ逆流防止体（インク追従体）」は、
　
基油
増粘剤
増粘剤
ｔａｎδ値が
０．９４（６３）、１．０７（１００）
　
基油
増粘剤
ｔａｎδ値が
０．９８（４０）、１．１５（６３）
であるから、引用発明の「インキ逆流防止体」と本願発明の「インキ逆流防止体」とは、「基油と増粘剤とから少なくともなり、粘弾性測定におけるｔａｎδが１を越える点（ω）が２０ｒａｄ／ｓ≦ω≦４５０ｒａｄ／ｓの範囲にある」ものである点で一致する。
　
５　上記１ないし４から、本願発明と引用発明とは、
「インキ収容管内に、直接水性インキとインキ逆流防止体とを充填してなる水性ボールペンであって、前記インキは粘度が１〜５０ｍＰａ・ｓの範囲にある水性インキであり、前記インキ逆流防止体は、基油と増粘剤とから少なくともなり、粘弾性測定におけるｔａｎδが１を越える点（ω）が２０ｒａｄ／ｓ≦ω≦４５０ｒａｄ／ｓの範囲にある水性ボールペン。」
である点で一致し、次の点で相違する。
　
相違点１：
　前記インキ収容管が、本願発明では、「先端部にボールを抱持したボールペンチップを備えた」ものであるのに対して、引用発明では、そのようなものであるのか明らかでない点。
　
相違点２：
　前記水性インキが、本願発明では、「非剪断減粘性水性インキ」であるのに対して、引用発明では、粘度調整剤として「キサンタンガムKELZAN HP」（三晶株式会社製；商品名）を含んでいるので、剪断減粘性水性インキである点。
　
第５　判断
　上記相違点１及び２について検討する。
１　相違点１について
　ボールペンに用いるインキ収容管であって、先端部にボールを抱持したチップを備えたものは、本願の出願前に周知である（以下「周知技術１」という。例．特開２００２−２３５０２５公報特に【００２０】及び【００２１】、特開平８−１１４７６号公報特に【００４９】及び図６参照。）から、引用発明において、インキ収容管として、先端部にボールを抱持したチップを備えたものを用い、上記相違点１に係る本願発明の構成となすことは、当業者が周知技術１に基づいて容易になし得た程度のことである。
　
２　相違点２について
　粘度が１〜５０ｍＰａ・ｓの非剪断減粘性水性インキは、本願の出願前に周知である（以下「周知技術２」という。例．上記特開２００２−２３５０２５公報特に【００２６】【表２】及び【００２８】、特開平１０−１１９４７９号公報特に【０００２】及び【００２１】参照。）から、引用発明において、水性インキとして、「キサンタンガムKELZAN HP」（三晶株式会社製；商品名）を含むものに代えて、粘度が１〜５０ｍＰａ・ｓの非剪断減粘性水性インキを用い、上記相違点２に係る本願発明の構成となすことは、当業者が周知技術２に基づいて容易になし得た程度のことである。
　
３　効果について
　本願発明の奏する効果は、当業者が、引用発明の奏する効果、周知技術１の奏する効果及び周知技術２の奏する効果から予測できた程度のものである。
　
４　まとめ
　したがって、本願発明は、当業者が、引用例に記載された発明、周知技術１及び周知技術２に基づいて容易に発明をすることができたものである。
　
第６　むすび
　以上のとおり、本願発明は、当業者が、引用例に記載された発明、周知技術１及び周知技術２に基づいて容易に発明をすることができたものであるから、特許法第２９条第２項の規定により特許を受けることができない。
　よって、結論のとおり審決する。